(57)【要約】  ガラスパネルユニットから排気管が突出せず、排気孔を強固に封着することができるガラスパネルユニット、ガラス窓、ガラスパネルユニットの製造方法及びガラス窓の製造方法を提供する。ガラスパネルユニットは、第一パネル（１）と、第二パネル（２）と、枠状のシール部（４１）と、孔封止材（４２）と、接合部（４７）と、を備える。シール部（４１）は、第一パネル（１）と第二パネル（２）の間に減圧状態の密閉空間（５１）を形成するように、第一パネル（１）と第二パネル（２）の互いの周縁部を気密に接合する。孔封止材（４２）は、第一パネル（１）と第二パネル（２）のうちの一方のパネルが有する排気孔（５０）を、気密に封止する。接合部（４７）は、排気孔（５０）の周縁部の一部において第一パネル（１）と第二パネル（２）とに接合し、第一パネル（１）と第二パネル（２）とが離れるのを抑制する。
2019208002.tif 000002
【特許請求の範囲】
【請求項１】
ガラスパネルを含む第一パネルと、
ガラスパネルを含み、前記第一パネルに対向して位置する第二パネルと、
前記第一パネルと前記第二パネルの間に減圧状態の密閉空間を形成するように、前記第一パネルと前記第二パネルの互いの周縁部を気密に接合する枠状のシール部と、
前記第一パネルと前記第二パネルのうちの一方のパネルが有する排気孔を、気密に封止する孔封止材と、
前記排気孔の周縁部の一部において前記第一パネルと前記第二パネルとに接合する接合部と、
を備える
ことを特徴とするガラスパネルユニット。
【請求項２】
前記排気孔の周縁部の一部に前記接合部が位置し、
前記排気孔の周縁部の前記接合部と反対側の部分に前記シール部が位置する
ことを特徴とする請求項１に記載のガラスパネルユニット。
【請求項３】
更に、
ガラスパネルを含み、前記第一パネルと前記第二パネルのうちの一つのパネルに対向して位置する第三パネルと、
前記一つのパネルと前記第三パネルの間に密閉された空間を形成するように、前記一つのパネルと前記第三パネルに気密に接合された枠状の第二シール部と、を備える
ことを特徴とする請求項１又は２に記載のガラスパネルユニット。
【請求項４】
請求項１〜３のいずれか一項に記載のガラスパネルユニットと、
前記ガラスパネルユニットの周縁部が嵌め込まれる枠と、を備える
ことを特徴とするガラス窓。
【請求項５】
ガラスパネルを含む第一基板と、ガラスパネルを含む第二基板とが準備される準備工程と、
前記第一基板と前記第二基板が、枠状の封着材及び前記第一基板と前記第二基板のうちの一つが有する排気孔の周縁部の接合材を介して接合され、前記第一基板と前記第二基板と前記封着材の間に内部空間が形成される接合工程と、
前記内部空間が減圧される減圧工程と、
前記内部空間が減圧状態で封止される封止工程と、を備える
ことを特徴とするガラスパネルユニットの製造方法。
【請求項６】
前記接合工程において、
前記排気孔の周縁部の一部に前記接合材が位置し、
前記排気孔の周縁部の前記接合材と反対側の一部に前記封着材が位置する
ことを特徴とする請求項５に記載のガラスパネルユニットの製造方法。
【請求項７】
請求項５又は６に記載のガラスパネルユニットの製造方法で製造されたガラスパネルユニットに対して、さらに枠状の第二シール部を介して、ガラスパネルを含む第三パネルが接合される第二接合工程を備える
ことを特徴とするガラスパネルユニットの製造方法。
【請求項８】
請求項５〜７のいずれか一項に記載のガラスパネルユニットの製造方法で製造されたガラスパネルユニットを、枠に嵌め込む組立工程を備える
ことを特徴とするガラス窓の製造方法。
【発明の詳細な説明】
【技術分野】
【０００１】
本発明は、ガラスパネルユニット、ガラス窓、ガラスパネルユニットの製造方法及びガラス窓の製造方法に関し、更に詳しくは、第一パネルと第二パネルと枠状のシール部とを備えるガラスパネルユニット、前記ガラスパネルユニットを備えるガラス窓、前記ガラスパネルユニットの製造方法及び前記ガラスパネルユニットを備えるガラス窓の製造方法に関する。
【背景技術】
【０００２】
断熱性の高いガラスパネルユニットを製造する方法が、従来提案されている。たとえば特許文献１に開示される方法では、一対の板ガラスの間に封着材と吸着材を配した状態で、溶融炉において、封着材の溶融温度である４３４℃よりも高い温度（４６５℃）にまで全体を加熱し、溶融した封着材を介して一対の板ガラス同士を接合させる。これにより、一対の板ガラスと封着材の間に密閉空間（内部空間）が形成される。【０００３】
次いで、溶融炉の温度を４３４℃よりも低い温度（４００℃）に維持しながら、密閉空間からの排気を行い、このときの温度で吸着材を活性化させる。その後に、板ガラスから突出する排気管の先端部分を溶融して封着するいわゆるチップオフによって、密閉空間を減圧状態のままで封止する。
【先行技術文献】
【特許文献】
【０００４】
【特許文献１】国際公開第２０１４／１３６１５１号
【発明の概要】
【０００５】
上記した従来の製造方法では、ガラスパネルユニットから排気管が突出して、美観を損ねる、という問題がある。
【０００６】
上記事情に鑑み、本発明は、ガラスパネルユニットから排気管が突出せず、排気孔を強固に封着することができるガラスパネルユニット、ガラス窓、ガラスパネルユニットの製造方法及びガラス窓の製造方法を提供することを目的とする。
【０００７】
本開示の一様態に係るガラスパネルユニットは、ガラスパネルを含む第一パネルと、ガラスパネルを含む第二パネルと、枠状のシール部と、孔封止材と、接合部と、を備える。前記第二パネルは、前記第一パネルに対向して位置する。前記シール部は、前記第一パネルと前記第二パネルの間に減圧状態の密閉空間を形成するように、前記第一パネルと前記第二パネルの互いの周縁部を気密に接合する。前記孔封止材は、前記第一パネルと前記第二パネルのうちの一方のパネルが有する排気孔を、気密に封止する。前記接合部は、前記排気孔の周縁部の一部において前記第一パネルと前記第二パネルとに接合する。
【０００８】
本開示の他の様態に係るガラス窓は、前記ガラスパネルユニットと、前記ガラスパネルユニットの周縁部が嵌め込まれる枠と、を備える。
【０００９】
本開示の更に他の様態に係るガラスパネルユニットの製造方法は、準備工程と、接合工程と、減圧工程と、封止工程と、を備える。前記準備工程は、ガラスパネルを含む第一基板と、ガラスパネルを含む第二基板とが準備される工程である。前記接合工程は、前記第一基板と前記第二基板が、枠状の封着材及び前記第一基板と前記第二基板のうちの一つが有する排気孔の周縁部の接合材を介して接合され、前記第一基板と前記第二基板と前記封着材の間に内部空間が形成される工程である。前記減圧工程は、前記内部空間が減圧される工程である。前記封止工程は、前記内部空間が減圧状態で封止される工程である。
【００１０】
本開示の更に他の様態に係るガラス窓の製造方法は、前記ガラスパネルユニットの製造方法で製造されたガラスパネルユニットを、枠に嵌め込む組立工程を備える。
【図面の簡単な説明】
【００１１】
【図１】図１は、第一実施形態のガラスパネルユニットを示す斜視図である。
【図２】図２は、同上のガラスパネルユニットを示す平面図である。
【図３】図３は、図２のＡ−Ａ線断面図である。
【図４】図４は、同上のガラスパネルユニットを製造する一過程を示す斜視図である。
【図５】図５は、同上のガラスパネルユニットの仕掛品を示す平面図である。
【図６】図６は、図５のＢ−Ｂ線断面図である。
【図７】図７は、同上の仕掛品の内部空間を減圧する様子を一部破断して示す要部側面図である。
【図８】図８は、同上の仕掛品の内部空間を封止する様子を一部破断して示す要部側面図である。
【図９】図９Ａは、変形例１のガラスパネルユニットの要部を示す平面図である。図９Ｂは、変形例２のガラスパネルユニットの要部を示す平面図である。図９Ｃは、変形例３のガラスパネルユニットの要部を示す平面図である。図９Ｄは、変形例４のガラスパネルユニットの要部を示す平面図である。
【図１０】図１０は、第二実施形態のガラスパネルユニットを示す平面図である。
【図１１】図１１は、図１０のＣ−Ｃ線断面図である。
【図１２】図１２は、第三実施形態のガラス窓を示す平面図である。
【発明を実施するための形態】
【００１２】
本開示のガラスパネルユニット、ガラス窓、ガラスパネルユニットの製造方法及びガラス窓の製造方法について、添付図面に基づいて説明する。添付図面においては、ガラスパネルユニットの各構成を、模式的に示している。図示された各構成の寸法形状は、実際の寸法形状とは相違する。
【００１３】
（ガラスパネルユニット）
まず、第一実施形態のガラスパネルユニットの各構成について、図１〜図３に基づいて説明する。
【００１４】
第一実施形態のガラスパネルユニットは、第一パネル１、第二パネル２、シール部４１、孔封止材４２、および接合部４７を備える。
【００１５】
第一パネル１と第二パネル２は、僅かな距離をあけて互いに対向して位置する。第一パネル１と第二パネル２は互いに平行であり、第一パネル１と第二パネル２の間に、シール部４１、複数（多数）のピラー４３、およびガス吸着体４４が位置する。
【００１６】
第一パネル１は、少なくともガラスパネル１５から構成される。第一パネル１は、ガラスパネル１５と、ガラスパネル１５に積層された低放射膜４５（図３参照）を含む。低放射膜４５は、銀等の低放射性を有する金属を含有する膜であり、放射による伝熱を抑制する機能を有する。第二パネル２は、少なくともガラスパネル２５から構成される。第二パネル２は、ガラスパネル２５を含む。
【００１７】
ガラスパネル１５とガラスパネル２５には、ソーダライムガラス、高歪点ガラス、化学強化ガラス、無アルカリガラス、石英ガラス、ネオセラム、物理強化ガラス等の材料で形成された各種パネルが、用いられる。
【００１８】
第一パネル１の第二パネル２に対向する対向面１２の大部分は、低放射膜４５の表面で構成されている。第二パネル２の第一パネル１に対向する対向面２２は、ガラスパネル２５の表面で構成されている。
【００１９】
シール部４１は、たとえば低融点のガラスフリットを用いて、枠状に形成されている。シール部４１は、第一パネル１の周縁部と、第二パネル２の周縁部に、それぞれ気密に接合されている。第一パネル１と第二パネル２の互いの周縁部は、シール部４１を介して気密に接合されている。
【００２０】
複数のピラー４３は、互いに距離をあけて分散配置されている。複数のピラー４３の各々は、第一パネル１と第二パネル２の互いの対向面１２，２２に当たって位置している。
【００２１】
複数のピラー４３は、枠状のシール部４１に囲まれて位置し、第一パネル１と第二パネル２の間の距離を、所定距離に維持するように機能する。複数のピラー４３は、その全部または一部がポリイミド等の樹脂で形成されていることが好ましい。
【００２２】
第一実施形態のガラスパネルユニットには、排気孔５０が形成される。排気孔５０は、第一パネル１と第二パネル２のうちの一方のパネルが有する。第一実施形態では、第一パネル１と第二パネル２のうち、第一パネル１の側が排気孔５０を有している。孔封止材４２は、たとえばガラスフリットを用いて形成されている。排気孔５０は孔封止材４２によって気密に封止されている。排気孔５０は、ガラスパネルユニットを製造する過程（後述の減圧工程）で、排気作業を行うために用いられる孔であり、第一パネル１を厚み方向Ｄ１に貫通している。厚み方向Ｄ１は、ガラスパネルユニットの全体の厚み方向であるとともに、第一パネル１と第二パネル２の厚み方向である。
【００２３】
第一パネル１と第二パネル２とシール部４１に囲まれる密閉空間５１は、排気孔５０の封止によって、その全体が気密に封止されている。密閉空間５１は、たとえば０．１Ｐａ以下の真空度に至るまで減圧された断熱空間である。
【００２４】
排気孔５０内に配置されたプレート４６は、ガラスパネルユニットを製造する過程（後述の封止工程）で用いられた部材である。排気孔５０には、さらにプレート４６を覆うように樹脂が詰められてもよい。
【００２５】
次に、第一実施形態のガラスパネルユニットを製造することのできる製造方法について、説明する。
【００２６】
第一実施形態のガラスパネルユニットの製造方法は、準備工程、ピラー配置工程、ガス吸着体配置工程、接合工程、減圧工程、封止工程を含む。
【００２７】
準備工程では、第一基板１０と第二基板２０が準備される（図４等参照）。第一基板１０は、各工程を経た後に、ガラスパネルユニットの第一パネル１を構成する。第二基板２０は、各工程を経た後に、ガラスパネルユニットの第二パネル２を構成する。
【００２８】
第一基板１０は、ガラスパネル１０５と、ガラスパネル１０５に積層された低放射膜４５０を含む（図６参照）。第二基板２０は、ガラスパネル２０５を含む。以下においては、ガラスパネル１０５を第一ガラスパネル１０５と称し、ガラスパネル２０５を第二ガラスパネル２０５と称する。
【００２９】
第一ガラスパネル１０５は、各工程を経た後に、第一パネル１のガラスパネル１５を構成する部分である。低放射膜４５０は、各工程を経た後に、第一パネル１の低放射膜４５を構成する部分である。第二ガラスパネル２０５は、各工程を経た後に、第二パネル２のガラスパネル２５を構成する部分である。
【００３０】
ピラー配置工程においては、図４等に示すように、第二基板２０の厚み方向Ｄ１の一面（上面）に、複数（多数）のピラー４３が互いに距離をあけて配置される。
【００３１】
ガス吸着体配置工程においては、第二基板２０の厚み方向Ｄ１の一面（上面）に、ガス吸着体４４が配置される。具体的には、ゲッター材が含まれるペースト状のガス吸着体４４が、ディスペンサー等の塗布装置を用いて、第二基板２０の厚み方向Ｄ１の一面に塗布される。
【００３２】
ガス吸着体４４に含まれるゲッター材は、多孔質構造を有する非金属ゲッター材であり、一例としてゼオライト系、活性炭素、酸化マグネシウムのゲッター材である。ゼオライト系のゲッター材は、イオン交換されたゼオライトを含む。イオン交換物質は、たとえばＫ、ＮＨ４、Ｂａ、Ｓｒ、Ｎａ、Ｃａ、Ｆｅ、Ａｌ、Ｍｇ、Ｌｉ、Ｈ、Ｃｕである。
【００３３】
ガス吸着体４４は、多孔質構造を有する非金属ゲッター材を含んでいることから、炭化水素系ガス（ＣＨ４、Ｃ２Ｈ６等）やアンモニアガス（ＮＨ３）を有効に吸着することができる。
【００３４】
ピラー配置工程とガス吸着体配置工程は、いずれが先に行われてもよいし、あるいは両工程が並行して行われてもよい。
【００３５】
接合工程では、第一基板１０と第二基板２０が、枠状の封着材４１０を介して接合される。具体的には、封着材４１０と複数のピラー４３を挟み込んだ状態でセットされた第一基板１０と第二基板２０が、第一温度にまで、炉内で加熱される。第一温度は、封着材４１０の融点よりも高く設定された温度である。
【００３６】
加熱により溶融した封着材４１０が、第一基板１０と第二基板２０に接合されることにより、第一基板１０と第二基板２０と封着材４１０の間には、複数のピラー４３とガス吸着体４４の位置する内部空間５１０が、形成される。封着材４１０は、各工程を経た後に、ガラスパネルユニットのシール部４１を構成する。
【００３７】
封着材４１０は、適宜の塗布装置を用いて、第二基板２０（第二ガラスパネル２０５）の厚み方向Ｄ１の一面の外周部に、枠状に配置される（図４参照）。加えて、第二基板２０の厚み方向Ｄ１の一面の所定箇所には、適宜の塗布装置を用いて、接合部４７の材料である接合材が配置される。接合材は、排気孔５０の周縁部の一部において第一パネル１と第二パネル２とに接合する。接合材は、第一パネル１と第二パネル２とが離れるのを抑制する。第一実施形態では、第二基板２０の長手方向において、排気孔５０の両側に接合材が配置される。接合材は、排気孔５０の径よりも長い、第二基板２０の短手方向に沿う長さを有する。また、接合材は、排気孔５０の径と同じ長さから排気孔５０の径の半分の長さまでの、第二基板２０の長手方向に沿う幅を有する。封着材４１０と接合材は、ガラスフリット等の同一の材料であることが好ましい。
【００３８】
封着材４１０と接合材の配置は、ピラー配置工程の前に行われてもよいし、ピラー配置工程の後に行われてもよいし、あるいはピラー配置工程と並行して行われてもよい。また、封着材４１０と接合材の配置は、ガス吸着体配置工程の前に行われてもよいし、ガス吸着体配置工程の後に行われてもよいし、あるいはガス吸着体配置工程と並行して行われてもよい。
【００３９】
接合工程が完了した段階において、第一基板１０の排気孔５０は、平面視（厚み方向Ｄ１に沿って視た状態）において、二つの接合材の内側に位置する。
【００４０】
上記の各工程を経ることで、図５、図６に示す仕掛品８が形成される。仕掛品８は、ガラスパネルユニットを製造する途中の物品である。
【００４１】
この仕掛品８に対して、さらに減圧工程、封止工程が実行される。
【００４２】
減圧工程と封止工程は、図７、図８に示す装置を用いて実行される。この装置は、減圧機構７１、加熱機構７２および押圧機構７３を備える。
【００４３】
減圧機構７１は、仕掛品８に押し当てられる排気ヘッド７５と、排気ヘッド７５に繋がる接続部７５３を備える。減圧機構７１は、仕掛品８に形成された内部空間５１０を、排気孔５０を通じて減圧し、かつ、減圧状態で維持するように構成されている。
【００４４】
加熱機構７２は、仕掛品８に対して排気ヘッド７５とは反対側に配置される（図８参照）。加熱機構７２は、排気孔５０に挿入された孔封止材４２を、非接触で加熱するように構成されている。
【００４５】
加熱機構７２は、照射器７２０を含む。照射器７２０は、排気孔５０に挿入された孔封止材４２に対して、第二基板２０（第二ガラスパネル２０５）を通じて外部から赤外線（近赤外線）を照射し、孔封止材４２を加熱するように構成されている。
【００４６】
押圧機構７３は、排気ヘッド７５に設けられている。押圧機構７３は、減圧機構７１によって内部空間５１０が減圧された状態で、排気孔５０に挿入された孔封止材４２を、第二基板２０に向けて押し込むように構成されている。
【００４７】
減圧工程においては、仕掛品８の排気孔５０に、排気孔５０よりも径の小さな孔封止材４２とプレート４６が挿入される（図７参照）。孔封止材４２は、たとえばガラスフリットを用いて形成された固形の封止材である。孔封止材４２は、ブロック状の形状を有するが、上下に貫通した筒状の形状を有することも好ましい。プレート４６は、孔封止材４２を挟んで第二基板２０とは反対側に配置される。
【００４８】
排気ヘッド７５は、第一基板１０のうち排気孔５０の開口を囲む部分に、気密に押し当てられる。このとき、孔封止材４２とプレート４６は、第二基板２０に向けて弾性的に押し込まれる。
【００４９】
この状態で、排気ヘッド７５内の空気を、接続部７５３を通じて吸引（図７中の白抜き矢印参照）すると、排気孔５０を通じて、内部空間５１０の空気が真空引きされる。
【００５０】
封止工程においては、加熱機構７２と押圧機構７３を用いて、内部空間５１０が減圧状態のままで封止される。
【００５１】
つまり、封止工程では、加熱機構７２によって孔封止材４２が加熱溶融され、かつ、押圧機構７３がプレート４６を介して及ぼす付勢力によって、孔封止材４２が第二基板２０に向けて押し付けられる。孔封止材４２は、内部空間５１０内において接合部４７の内周面に当たるまで変形する。接合部４７に設けられた切欠き部分は、変形した孔封止材４２によって封止される。
【００５２】
これにより、排気孔５０は孔封止材４２によって封止され、内部空間５１０は、減圧状態のままで気密に封止される。この内部空間５１０が、各工程を経た後に、ガラスパネルユニットの密閉空間５１を構成する。
【００５３】
なお、この後、活性化工程を有してもよい。
【００５４】
活性化工程においては、仕掛品８の内部空間５１０に配置されたガス吸着体４４が、局所加熱機構等によって、局所加熱される。
【００５５】
活性化工程は、減圧工程と並行して行われることが好ましい。つまり、排気ヘッド７５を用いて内部空間５１０が減圧されている最中に、ガス吸着体４４が非接触でかつ局所的に加熱され、減圧状態の内部空間５１０にてガス吸着体４４が活性化されることが好ましい。
【００５６】
ガス吸着体４４には、多孔質構造を有する非金属ゲッター材（たとえばＣｕイオン交換されたゼオライト）が含まれているので、局所加熱により、ガス吸着体４４に吸着されていた炭化水素系ガス、アンモニア等の気体分子が脱離し、ガス吸着体４４が活性化される。ガス吸着体４４から脱離した気体分子は、減圧機構７１によって排気孔５０を通じて吸引される。活性化工程によってガス吸着体４４が十分に活性化された段階で、封止工程が実行される。
【００５７】
活性化工程でのガス吸着体４４の局所加熱を、封止工程の後に行うことも可能である。この場合、減圧状態で封止された内部空間５１０内にレーザーを照射し、局所加熱によりガス吸着体４４を活性化させる。
【００５８】
以上の製造方法で得られるガラスパネルユニットは、減圧状態で封止された密閉空間５１を有し、密閉空間５１には、十分に活性化されたガス吸着体４４が収容される。そのため、密閉空間５１の真空度の低下が抑えられ、ガラスパネルユニットの全体の断熱性が保たれる。
【００５９】
加えて、ガラスパネルユニットを製造するための工程では、炉内の温度が抑制されることから、製造時の消費エネルギーが抑えられるという利点がある。その反面、ガラスパネルユニットの密閉空間５１に糸屑等の有機物が残存し、炭化水素系のガスが発生しやすくなる。また、炉内の温度が抑制されると、封着材４１０の溶媒が蒸発しきらずに残存し、炭化水素系のガスを発生させやすくなる。加えて、樹脂を含む各ピラー４３からも、炭化水素系のガスやアンモニアガスが発生しやすい。
【００６０】
これに対して、第一実施形態のガラスパネルユニットの製造方法では、局所加熱によって活性化されたゲッター材（ゼオライト、活性炭等）を含むガス吸着体４４によって、ここで発生したガス（炭化水素系のガス、アンモニアガス）が効果的に吸着される。
【００６１】
また、接合部４７により、第一パネル１と第二パネル２とが離れるように力がかかっても、第一パネル１と第二パネル２とが離れるようにかかる力を接合部４７が受けて、第一パネル１と第二パネル２とが離れにくくなる。
【００６２】
なお、上記したガラスパネルユニットの各構成や、ガラスパネルユニットを製造するための各工程は、適宜に設計変更が可能である。
【００６３】
たとえば、上記方法と同様の方法で形成されたガラスパネルユニットを、いわゆる多面取りの手法でさらに複数に分割し、複数のガラスパネルユニットを得ることも可能である。この場合、第一基板１０と第二基板２０の間に、密閉空間５１を複数に区分する仕切りを形成しておく。
【００６４】
多面取りを行った場合、製造過程で用いられた第一基板１０のうち分割された一部分が、最終的に得られるガラスパネルユニットの第一パネル１を構成することになる。同様に、製造工程で用いられた第二基板２０のうち分割された一部分が、最終的に得られるガラスパネルユニットの第二パネル２を構成し、封着材４１０のうち分割された一部分が、最終的に得られるガラスパネルユニットのシール部４１を構成することになる。
【００６５】
また、上述したガラスパネルユニットの製造方法では、ピラー配置工程において、第二基板２０の一面に複数のピラー４３を配置しているが、複数のピラー４３を配置する箇所は、第一基板１０と第二基板２０の少なくとも一方でよい。つまり、複数のピラー４３を第一基板１０に配置することも有り得るし、複数のピラー４３を第一基板１０と第二基板２０に分散して配置することも有り得る。
【００６６】
同様に、上述したガラスパネルユニットの製造方法では、ガス吸着体配置工程において、第二基板２０の一面にガス吸着体４４を配置しているが、ガス吸着体４４を配置する箇所は、第一基板１０と第二基板２０の少なくとも一方でよい。つまり、第一基板１０にガス吸着体４４を配置することも有り得るし、第一基板１０と第二基板２０の両方にガス吸着体４４を配置することも有り得る。ガス吸着体４４は２個以上でも構わない。
【００６７】
また、上記したガラスパネルユニットの製造方法では、活性化工程において、第二基板２０を通じてガス吸着体４４にレーザーを照射しているが、レーザーの照射は、第一基板１０と第二基板２０の少なくとも一方を通じて行えばよい。第一基板１０を通じてレーザーを照射する場合には、第一基板１０は低放射膜４５０を含まないことが好ましい。
【００６８】
接合部４７の変形例を図９Ａ〜図９Ｃに示す。
【００６９】
図９Ａに示す変形例１では、Ｌ字状をした接合部４７が配置されている。接合部４７は、排気孔５０を挟んで、シール部４１と対向するように位置している。すなわち、排気孔５０の周縁部の接合部４７と反対側の部分に、シール部４１が位置する。接合部４７は、排気孔５０の径と同じ長さから排気孔５０の径の半分の長さまでの幅を有している。接合部４７とシール部４１との間には、隙間が形成されている。接合部４７から見て、隙間はシール部４１の方を向いている。このため、減圧工程において、内部空間５１０内の空気が排気孔５０に至る途中において、ピラー４３が空気によって移動しにくい。
【００７０】
排気孔５０の周縁部の接合部４７と反対側の部分にシール部４１が位置することにより、接合部４７とシール部４１とで、より強く第一パネル１と第二パネル２とが離れるのを抑制する。
【００７１】
図９Ｂに示す変形例２では、Ｃ字状をした接合部４７が配置されている。接合部４７は、略全周にわたって排気孔５０を囲んでいるが、環状とはなっておらず、一部に隙間が形成されている。隙間は、シール部４１とは反対側を向いている。
【００７２】
接合部４７は、略全周にわたって排気孔５０を囲むことにより、より一層第一パネル１と第二パネル２とが離れるのが抑制される。
【００７３】
図９Ｃに示す変形例３では、排気孔５０の周縁部の四箇所に、接合部４７が配置されている。なお、接合部４７の個数は限定されず、排気孔５０の周縁部に、周方向に離れて複数の接合部４７が位置すればよい。
【００７４】
図９Ｄに示す変形例４では、Ｃ字状をした接合部４７が配置されている。接合部４７は、略全周にわたって排気孔５０を囲んでいるが、環状とはなっておらず、一部に隙間が形成されている。図９Ｂに示す変形例２では、隙間は、シール部４１とは反対側を向いているのに対し、図９Ｄに示す変形例４では、隙間は、シール部４１の方を向いている。このため、減圧工程において、内部空間５１０内の空気が排気孔５０に至る途中において、ピラー４３が空気によって移動しにくい。
【００７５】
接合部４７は、略全周にわたって排気孔５０を囲むことにより、より一層第一パネル１と第二パネル２とが離れるのが抑制される。
【００７６】
図１０、図１１は、第二実施形態のガラスパネルユニットを示している。第二実施形態のガラスパネルユニットユニットは、図１〜図３に示すガラスパネルユニットの第一パネル１と第二パネル２に加えて、第三パネル３を備えている。
【００７７】
第二実施形態のガラスパネルユニットでは、第一パネル１に対して第三パネル３が重なり、第一パネル１と第三パネル３の間に、密閉された空間５２が形成されている。なお、第三パネル３の配置はこれに限定されず、第二パネル２に対して第三パネル３が重なり、第二パネル２と第三パネル３の間に、密閉された空間５２が形成されることも有り得る。
【００７８】
第三パネル３は、少なくともガラスパネル３５を含む。ガラスパネル３５には、適宜のコーティングが施されてもよい。
【００７９】
第三パネル３と第一パネル１の互いの周縁部の間には、中空部分を有する枠状のスペーサー３４と、スペーサー３４の外側を覆うように枠状に形成された第二シール部３８が介在している。スペーサー３４の中空部分には、乾燥剤３６が充填されている。空間５２は、第二シール部３８とスペーサー３４に全周を囲まれた空間である。
【００８０】
スペーサー３４はアルミニウム等の金属で形成され、通気孔３４１を内周側に有する。スペーサー３４の中空部分は、通気孔３４１を介して空間５２に連通する。乾燥剤３６は、たとえばシリカゲルである。第二シール部３８は、たとえばシリコン樹脂、ブチルゴム等の高気密性の樹脂で形成される。空間５２には、乾燥ガス（アルゴン等の乾燥した希ガス、乾燥空気等）が充填されている。
【００８１】
第二実施形態のガラスパネルユニットを製造する製造方法は、上記した各工程に加えて、第二接合工程を含む。第二接合工程は、第一パネル１と第三パネル３（または第二パネル２と第三パネル３）が、スペーサー３４を挟み込んだ状態で、第二シール部３８を介して気密に接合される工程である。
【００８２】
第二実施形態のガラスパネルユニットでは、図１〜図３に示すガラスパネルユニットに対して、さらに第三パネル３が重ねられているが、第三パネル３が重ねられる対象はこれに限定されない。
【００８３】
（ガラス窓）
次に、第三実施形態のガラス窓について、説明する。第三実施形態のガラス窓は、第一実施形態又は第二実施形態のガラスパネルユニットを備える。
【００８４】
図１２には、第一実施形態のガラスパネルユニットを備えるガラス窓が、示されている。このガラス窓は、図１〜図３に示すガラスパネルユニットに、枠９が嵌め込まれたガラス窓である。
【００８５】
一例として枠９は窓枠であり、図１２に示すガラス窓は、第一実施形態のガラスパネルユニットを備えるガラス窓である。ガラス窓は、可動式の窓に限定されず、陳列窓等の固定式の窓も含む。
【００８６】
また、第一実施形態のガラスパネルユニットを備えるガラス窓は、ガラス窓に限定されず、玄関ドア、室内ドア等の、他のガラス窓も含む。
【００８７】
第一実施形態のガラスパネルユニットを備えるガラス窓の製造方法は、第一実施形態のガラスパネルユニットの製造方法の各工程に加えて、組立工程を備える。組立工程は、ガラスパネルユニットの周縁部に、矩形状の枠９が嵌め込まれる工程である。これらの工程を経て製造されるガラス窓は、高い断熱性を発揮する。
【００８８】
図１２に示すガラス窓では、図１〜図３に示すガラスパネルユニットに対して、さらに枠９が嵌め込まれているが、枠９が嵌め込まれる対象はこれに限定されない。たとえば、上述した多面取りの手法で得られたガラスパネルユニットに枠９が嵌め込まれることも有り得るし、変形例１〜変形例３のガラスパネルユニットに対して枠９が嵌め込まれることも有り得る。
【００８９】
以上、ガラスパネルユニットおよびこれを備えるガラス窓について説明したが、ガラスパネルユニットおよびこれを備えるガラス窓は、添付図面に示す実施形態や変形例に限定されず、適宜の設計変更を行うことや、各変形例の構成を適宜に組み合わせることが可能である。
【００９０】
（効果）
以上、述べた実施形態およびその変形例から明らかなように、第１の態様のガラスパネルユニットは、ガラスパネル（１５）を含む第一パネル（１）と、ガラスパネル（２５）を含む第二パネル（２）と、枠状のシール部（４１）と、孔封止材（４２）と、接合部（４７）と、を備える。第二パネル（２）は、第一パネル（１）に対向して位置する。シール部（４１）は、第一パネル（１）と第二パネル（２）の間に減圧状態の密閉空間（５１）を形成するように、第一パネル（１）と第二パネル（２）の互いの周縁部を気密に接合する。孔封止材（４２）は、第一パネル（１）と第二パネル（２）のうちの一方のパネルが有する排気孔（５０）を、気密に封止する。接合部（４７）は、排気孔（５０）の周縁部の一部において第一パネル（１）と第二パネル（２）とに接合する。
【００９１】
第１の態様によれば、第一パネル（１）と第二パネル（２）とが離れるように力がかかっても、第一パネル（１）と第二パネル（２）とが離れるようにかかる力を接合部（４７）が受けて、第一パネル（１）と第二パネル（２）とが離れにくくなる。これにより、ガラスパネルユニットから排気管が突出せず、排気孔（５０）を強固に封着することができる。
【００９２】
第２の態様では、第１の態様との組み合わせにより実現される。第２の態様では、排気孔（５０）の周縁部の一部に接合部（４７）が位置する。排気孔（５０）の周縁部の接合部（４７）と反対側の部分にシール部（４１）が位置する。
【００９３】
第２の態様によれば、より強く第一パネル（１）と第二パネル（２）とが離れるのを抑制する。
【００９４】
第３の態様では、第１又は第２の態様との組み合わせにより実現される。第３の態様では、ガラスパネルユニットは、更に、第三パネル（３）と、枠状の第二シール部（３８）と、を備える。第三パネル（３）は、ガラスパネル（３５）を含み、第一パネル（１）と第二パネル（２）のうちの一つのパネルに対向して位置する。第二シール部は、一つのパネルと第三パネル（３）の間に密閉された空間を形成するように、一つのパネルと第三パネル（３）に気密に接合される。
【００９５】
第３の態様によれば、より断熱性の高いガラスパネルユニットが得られる。
【００９６】
第４の態様では、第１〜第３の態様との組み合わせにより実現される。第４の態様では、ガラス窓は、第１〜第３の態様のガラスパネルユニットと、ガラスパネルユニットの周縁部が嵌め込まれる枠（９）と、を備える。
【００９７】
第４の態様によれば、排気管が突出しないガラス窓が得られる。
【００９８】
第５の態様のガラスパネルユニットの製造方法は、準備工程と、接合工程と、減圧工程と、封止工程と、を備える。準備工程は、ガラスパネル（１５）を含む第一基板（１０）と、ガラスパネル（２５）を含む第二基板（２０）とが準備される工程である。接合工程は、第一基板（１０）と第二基板（２０）が、枠状の封着材（４１０）及び第一基板（１０）と第二基板（２０）のうちの一つが有する排気孔（５０）の周縁部の接合材を介して接合され、第一基板（１０）と第二基板（２０）と封着材（４１０）の間に内部空間（５１０）が形成される工程である。減圧工程は、内部空間（５１０）が減圧される工程である。封止工程は、内部空間（５１０）が減圧状態で封止される工程である。
【００９９】
第５の態様によれば、第一パネル（１）と第二パネル（２）とが離れにくいガラスパネルユニットを製造することができる。
【０１００】
第６の態様では、第５の態様との組み合わせにより実現される。第６の態様では、接合工程において、排気孔（５０）の周縁部の一部に接合材が位置し、排気孔（５０）の周縁部の接合材と反対側の一部に封着材（４１０）が位置する。
【０１０１】
第６の態様によれば、第一パネル（１）と第二パネル（２）とがより一層離れにくいガラスパネルユニットを製造することができる。
【０１０２】
第７の態様では、第５又は第６の態様との組み合わせにより実現される。第７の態様では、第５又は第６の態様のガラスパネルユニットの製造方法で製造されたガラスパネルユニットに対して、さらに枠状の第二シール部（３８）を介して、ガラスパネル（３５）を含む第三パネル（３）が接合される第二接合工程を備える。
【０１０３】
第７の態様によれば、より断熱性の高いガラスパネルユニットが得られる。
【０１０４】
第８の態様では、第５〜第７の態様との組み合わせにより実現される。第８の態様では、ガラス窓の製造方法は、第５〜第７のいずれかの態様のガラスパネルユニットの製造方法で製造されたガラスパネルユニットを、枠（９）に嵌め込む組立工程を備える。
【０１０５】
第８の態様によれば、排気管が突出しないガラス窓が得られる。
【符号の説明】
【０１０６】
１    第一パネル
１０  第一基板
１５  ガラスパネル
２    第二パネル
２０  第二基板
２５  ガラスパネル
３    第三パネル
３５  ガラスパネル
３８  第二シール部
４１  シール部
４１０  封着材
４２  孔封止材
４７  接合部
５０  排気孔
５１  密閉空間
５１０  内部空間
【図１】
2019208002.tif 000003
【図２】
2019208002.tif 000004
【図３】
2019208002.tif 000005
【図４】
2019208002.tif 000006
【図５】
2019208002.tif 000007
【図６】
2019208002.tif 000008
【図７】
2019208002.tif 000009
【図８】
2019208002.tif 000010
【図９】
2019208002.tif 000011
【図１０】
2019208002.tif 000012
【図１１】
2019208002.tif 000013
【図１２】
2019208002.tif 000014
【国際調査報告】
2019208002.tif 000015
2019208002.tif 000016
2019208002.tif 000017
2019208002.tif 000018